(57)【要約】  本発明は、武器ハウジング（１）の製造方法及び武器ハウジング（１）に関する。上記方法は、上記武器ハウジングが少なくとも２つのサブアセンブリ（２、３、２．１、２．２、３．１、３．２）からなり、各アセンブリ（２、３、２．１、２．２、３．１、３．２）について、内輪郭部（２´、３´、２．１´、２．２´、３．１´、３．２´）が少なくとも１つの中実ブロックに切断される。上記中実ブロックはスチールブロックである。開口（５）及び凹所（６）が少なくとも２つのサブアセンブリ（２、３、２．１、２．２、３．１、３．２）に導入されている。
2021515879.tif 000002
【特許請求の範囲】
【請求項１】
武器ハウジング（１）の製造方法であって、前記武器ハウジングは少なくとも２つのサブアセンブリ（２、３、２．１、２．２、３．１、３．２）を含み、各アセンブリ（２、３、２．１、２．２、３．１、３．２）について、内輪郭部（２´、３´、２．１´、２．２´、３．１´、３．２´）が少なくとも１つの中実ブロックに切断されている、武器ハウジングの製造方法。
【請求項２】
前記中実ブロックがスチールブロックであることを特徴とする、請求項１に記載の方法。
【請求項３】
開口（５）及び凹所（６）が少なくとも２つのサブアセンブリ（２、３、２．１、２．２、３．１、３．２）に導入されていることを特徴とする、請求項１又は２に記載の方法。
【請求項４】
前記開口（５）及び前記凹所（６）が機械加工により導入されていることを特徴とする、請求項３に記載の方法。
【請求項５】
前記機械加工が切削加工を含むことを特徴とする、請求項１から４のいずれか１項に記載の方法。
【請求項６】
少なくとも２つのサブアセンブリ（２、３、２．１、２．２、３．１、３．２）を含む武器ハウジグ（１）であって、各アセンブリ（２、３、２．１、２．２、３．１、３．２）について、内輪郭部（２´、３´、２．１´、２．２´、３．１´、３．２´）が少なくとも１つの中実ブロックに機械加工されている、武器ハウジング（１）。
【請求項７】
前記中実ブロックがスチールブロックであることを特徴とする、請求項６に記載の武器ハウジング（１）。
【請求項８】
開口（５）及び凹所（６）が少なくとも２つのサブアセンブリ（２、３、２．１、２．２、３．１、３．２）に導入されていることを特徴とする、請求項６又は７に記載の武器ハウジング（１）。
【請求項９】
前記開口（５）及び前記凹所（６）が機械加工により導入されていることを特徴とする、請求項８に記載の武器ハウジング（１）。
【請求項１０】
前記機械加工が切削加工を含むことを特徴とする、請求項６から９のいずれか１項に記載の武器ハウジング（１）。
【請求項１１】
３つ以上のサブアセンブリ（３、４、３．１、３．２、４．１、４．２）を含むことを特徴とする、請求項６から１０のいずれか１項に記載の武器ハウジング（１）。
【請求項１２】
材料が、正常化された状態のＣ３５（Ｅ）、焼入れされた状態のＣ３５（Ｅ）、又は正常化された状態のＣ４０（Ｅ）であることを特徴とする、請求項６から１１のいずれか１項に記載の武器ハウジング（１）。
【発明の詳細な説明】
【技術分野】
【０００１】
本発明は、武器ハウジング、特には、マシンガンのハウジングに関する。本発明は、特に、武器ハウジングの製造方法に関する。
【背景技術】
【０００２】
マシンガン用、例えばＭＧ３用の武器ハウジングは、例えば、実際には、曲げ加工法やスタンピング法を用いてシートメタルから半製品として製造される。このために、基本形状はシート材料から切断されるであろう。これに、中間アニーリングを伴う曲げ加工等が続き、その結果、曲げ加工により生じた応力が再度取り去られてきた。次いで、湾曲したピースがシートメタルにリベットで留められ、シートメタルハウジングが溶接され、ボルトキャリアのガイドレールやガイドストリップがリベットで留められてきた。その欠点は、このハウジングの製造も材料を理由とする制限された程度にのみ実現可能なことである。加えて、曲げ加工法やスタンピング法は、少数の製造業者によって実施されているだけである。装置は酷使されることが要求され、その取替は時間がかかり、高価である。
【発明の概要】
【発明が解決しようとする課題】
【０００３】
従って、本発明により取り扱われる問題は、武器ハウジングを製造するために使用することのできる方法を開示することである。
【課題を解決するための手段】
【０００４】
解決の基礎となる着想は、中実材料であるスチールブロックからハウジングを切断するというものである。このプロセスは、材料を変更する可能性を生じさせ、例えば、材料ブロックから機械加工の形態で切断することのできる新たな材料を用いる可能性を生じさせる。この可能性は、成形性が以前の曲げ加工製品やスタンピング製品に必要な程度にもはや必要でないので、現れる。
【０００５】
この新たな製造方法によれば、数ある中でも、以下の方法を用いることができる。
正常化された状態のＣ３５（Ｅ）（炭素３５％、電気融合）
焼入れされた状態のＣ３５（Ｅ）
正常化された状態のＣ４０（Ｅ）
【０００６】
武器ハウジングを直接焼入れする必要がない僅かな組織変化の場合には、次の材料群が同様に考えられる。
伝統的な合金化されていない構造用鋼、例えば、Ｓ３５５
マイクロ合金化された構造用鋼
チタン合金、例えば、ＴｉＡｌ６Ｖ４
【０００７】
武器の小パーツの切断は、例えば、独国特許出願公開第１９９５３３６５号明細書、独国特許発明第１０２００４０２１９５２号明細書、又は独国特許発明第１０２０１２０１９４２２号明細書に開示されている。これらの文献には、武器ハウジングに対して本願の方法を使用することについての言及はない。
【０００８】
製造業者の成果は、武器ハウジングが様々な開口や突破口を有する薄肉の中空体を含むことである。それ故、内輪郭部を切断するために、武器ハウジングは２つの半殻から作成することが好ましく、その内輪郭部はその都度別個に形成される。製造を簡単にするために、これらの半殻はさらに個別パーツに細かく分けることができる。これらの個々の殻或いは多数の殻は、例えば最終的には互いに溶接される。ハウジングのパーツの切断は、ハウジングの厚みが小さい場合には、課題を示す。この切断には、内側の機械加工中には外側から、外側の機械加工中には内側から、考えられる最大表面にわたってハウジングのパーツを支持する装置が必要である。
【０００９】
この解決策の利点は、標準的な工作機械を使用することができることである。類似する原材料により、実質的にひずみのない製造が可能である。材料の強度が異なることにより、もはや再度曲げ加工を別途行うことはない。工具の調整はもはや必要ない。数が少ない製造についても、経済的基準に基づいて実現可能である。具体的には小バッチサイズや中バッチサイズの製造については、今までとおり経済的とすることができる。
【００１０】
図面によってスケッチされた典型的な実施形態の助力により、解決策がより詳細に説明される。
【図面の簡単な説明】
【００１１】
【図１】図１は、上殻と下殻とを含む武器ハウジングを示す。
【図２】図２は、上殻と下殻とを複数の個別パーツにさらに再分割することを示す。
【発明を実施するための形態】
【００１２】
より大きく詳細に描写していない自動小銃又はマシンガンの武器ハウジングが、図１に符号１として示されている。武器ハウジング１は２つのパーツであることが好ましく、武器ハウジング１のサブアセンブリとしての下殻２と上殻３とを有する。開口５又は凹所６は下殻２及び上殻３に含まれる。より大きく詳細に描写していないガンバレルのバレル支持体４は２つの殻２、３の前側に形成されている、
【００１３】
図２は図１の上殻２及び下殻３を示すものであり、これらの殻２、３はさらに２つのサブアセンブリ２．１、２．２、及びサブアセンブリ３．１、３．２に分割されている。これらのサブアセンブリ２．１、２．２、３．１、３．２は、さらに製造の簡素化を達成するために分解することができる。
【００１４】
武器ハウジング１の製造は以下のように行う。
【００１５】
各サブアセンブリ２、３、２．１、２．２、３．１、３．２のサイズに対応するスチールブロック（より大きく詳細に描写していない）が使用される。このスチールブロックは好ましくは少なくとも長さにおいて対応すべきである。内輪郭部２´、３´、２．１´、２．２´、３．１´、３．２´並びに開口５及び凹所６はこのスチールブロック内で圧延されること（内側を圧延又は外側を圧延）ことが好ましい。ハウジング壁の厚さは約２．５ｍｍであることが好ましいが、これは力を制限しているわけではない。
【００１６】
その後、サブアセンブリ２、３又はサブアセンブリ２．１、２．２及びサブアセンブリ３．１、３．２は互いに連結され、好ましくは互いに溶接されて、武器ハウジング１が形成される。
【００１７】
内輪郭部２´、３´、２．１´、２．２´、３．１´、３．２´も、必要なガイドレール等も含むことは自明である。しかしながら、これらは、例えばリベット留めや溶接によって、別個の構成部分としてその後武器ハウジングに導入されてもよい。
【００１８】
既に述べたように、スチールブロックは、正常化された状態のＣ３５（Ｅ）、焼入れされた状態のＣ３５（Ｅ）、又は正常化された状態のＣ４０（Ｅ）のような材料から作成することができる。代替物は本技術において公知である。
【図１】
2021515879.tif 000003
【図２】
2021515879.tif 000004
【国際調査報告】
2021515879.tif 000005
2021515879.tif 000006
2021515879.tif 000007
2021515879.tif 000008